【手続補正書】
【提出日】平成28年9月2日(2016.9.2)
【手続補正１】
【補正対象書類名】明細書
【補正対象項目名】発明の名称
【補正方法】変更
【補正の内容】
【発明の名称】耳装着装置
【手続補正２】
【補正対象書類名】明細書
【補正対象項目名】０００１
【補正方法】変更
【補正の内容】
【０００１】
本発明は、電池を電池保持部材に保持させて機器の筐体へ挿入する電池収納構造、詳しくは電池の一方の面に配置された電極面から回路基板へ電力を取り出す電極端子の構造に関する。また、本発明は、耳に装着して使用される耳装着装置に関する。
【手続補正３】
【補正対象書類名】明細書
【補正対象項目名】０００３
【補正方法】変更
【補正の内容】
【０００３】
特許文献２の電池収納構造は、電池保持部材に保持したボタン電池の周側面のプラス電極に対してはコイルスプリング状の電極端子をほぼ垂直に突き当てて接触させている。一方、プラス電極の内側に配置された上面のマイナス電極に対しては、ばね性を有する薄板をＵ字型に折り返した電極端子をほぼ平行に摩擦して接触させている。薄板をＶ字に折り返して発生させたばね力が、ボタン電池のマイナス電極に電極端子の平坦な電極面を押し当てて接触させている。また、特許文献２には、耳に装着して使用される耳装着装置が示される。図１に示すように、耳装着装置は、耳の孔の入口に保持される頭部４と反対側にクリップ３を設け、筐体４とクリップ３との間に耳を挟み込むことで耳に装着されている場合がある。そして、図２に示すように、回路基板１３の基板面を横断する方向に対向する胴部２の側面に一対のスイッチ（２３、２４）が設けられている場合がある。
【手続補正４】
【補正対象書類名】明細書
【補正対象項目名】０００６
【補正方法】変更
【補正の内容】
【０００６】
本発明は、長年の使用によって酸化や油分付着やごみ付着が進んだ状態で電池交換が行われても接触不良を引き起こし難い電池収納構造、及びリズム発生装置を提供することを目的としている。また、別の本発明は、回路基板の基板面を横断する方向に対向する胴部の側面に一対のスイッチが設けられている場合に好適なスイッチ構造を有する耳装着装置を提供することを目的としている。
【手続補正５】
【補正対象書類名】明細書
【補正対象項目名】０００７
【補正方法】変更
【補正の内容】
【０００７】
本発明の電池収納構造は、筐体と、一方の面に電極面を有する電池を保持して前記一方の面に沿って移動して前記筐体へ収納される電池保持部材と、前記電池の電力で作動する回路を有して前記筐体に付設された回路基板と、前記回路基板に一端側が固定され、前記筐体に収納された前記電池保持部材に保持された前記電池の前記電極面に他端側が当接する端子部材と、を備えるものである。そして、前記端子部材は、前記一端側を起点として前記一方の面に沿った所定方向から当該所定方向の反対方向へ折り返した後に前記他端側がばね力を伴って前記電極面に曲面で当接するように曲線断面の金属弾性線材を曲げて形成される。また、別の本発明の耳装着装置は、耳の孔の入口に保持される頭部を有し、前記頭部と反対側にクリップが設けられ、前記クリップとの間に耳を挟み込むことにより耳面上に保持される筐体と、前記筐体に収容された回路基板と、前記回路基板に固定して前記回路基板の基板面を横断するように配置され、当該横断する方向の両端がスイッチの電極として機能する共通電極と、前記回路基板に固定して前記両端の一方に対して接離可能に配置された第１のスイッチ電極と、前記回路基板に固定して前記両端の他方に対して接離可能に配置された第２のスイッチ電極と、を備えるものである。
【手続補正６】
【補正対象書類名】明細書
【補正対象項目名】００１０
【補正方法】変更
【補正の内容】
【００１０】
したがって、長年の使用によって酸化や油分付着やごみ付着が進んだ状態で電池交換が行われても接触不良を引き起こし難い電池収納構造、及びリズム発生装置を提供できる。また、別の本発明の耳装着装置によれば、回路基板の基板面を横断する方向に対向する胴部の側面に一対のスイッチが設けられている場合に好適なスイッチ構造を有する耳装着装置を提供することができる。
【手続補正７】
【補正対象書類名】明細書
【補正対象項目名】００１３
【補正方法】変更
【補正の内容】
【００１３】
（リズム発生装置）
図１は実施例１のリズム発生装置の斜視図である。図１に示すように、リズム発生装置１は、クリップ３で耳殻（外耳）を挟み込んで、リズム音を発生する円筒状の頭部４を耳の孔の入り口の窪みに沈み込ませるようにして、耳に装着される。頭部４とクリップ３の間を連絡する胴部２にリズム発生回路及び液晶表示ユニット２５が収納されている。図１に示すように、頭部４は、耳の孔の入口に保持される。
【手続補正８】
【補正対象書類名】明細書
【補正対象項目名】００１７
【補正方法】変更
【補正の内容】
【００１７】
液晶表示ユニット２５にリズムの拍子の種類が表示された状態でリズム設定スイッチ２４を押すと、１回押すごとに表示されたリズムの種類が一拍子、二拍子、三拍子、四拍子、五拍子、六拍子の順に切り替わる。また、リズム設定スイッチ２３を押すと、１回押すごとに表示された毎分拍数が六拍子、五拍子、三拍子、二拍子、一拍子１の順に切り替わる。マイコン回路として図２に示すマイコン素子２６は、毎分拍数を可変のリズム信号を発生する。スイッチ電極２３ｂ、２４ｂは、マイコン素子２６に対する毎分拍数の設定に用いられる。液晶表示ユニット２５は、マイコン素子２６に設定された毎分拍数の数値を表示可能である。
【手続補正９】
【補正対象書類名】明細書
【補正対象項目名】００１８
【補正方法】変更
【補正の内容】
【００１８】
（内部構造）
図２はリズム発生装置の組み立て構造の説明図である。図２に示すように、クリップ３は、ピン３ｐによって下筐体１２に回動可能に取り付けられている。クリップ３に設けたばね構造３ｂによって、クリップ３は、下筐体１２との間に耳殻を挟み込む。クリップ３は、胴部２における頭部４と反対側に設けられている。筐体としての胴部２は、クリップ３との間に耳を挟み込むことにより耳面上に保持される。
【手続補正１０】
【補正対象書類名】明細書
【補正対象項目名】００２０
【補正方法】変更
【補正の内容】
【００２０】
回路基板１３の上面に、図１のリズム設定スイッチ２３、２４の電極である共通電極２７、及びスイッチ電極２３ｂ、２４ｂが固定される。共通電極２７の端部２７ａ、２７ｂに対向させてスイッチ電極２３ｂ、２４ｂの可動部が配置される。スイッチ電極２３ｂ、２４ｂの可動部を外側から押圧する押しボタン２３ａ、２４ａは、上筐体１１に胴部２を横断する方向へ移動可能に保持される。図２に示すように、回路基板１３は、胴部２に収容されている。共通電極２７は、回路基板１３に固定して回路基板１３の基板面を横断するように配置される。共通電極２７は、回路基板１３の基板面を横断する方向の両端がスイッチの電極として機能する。第１のスイッチ電極としてのスイッチ電極２３ｂは、回路基板１３に固定して共通電極２７の両端の一方に対して接離可能に配置されている。第２のスイッチ電極としてのスイッチ電極２４ｂは、回路基板１３に固定して共通電極２７の両端の他方に対して接離可能に配置されている。共通電極２７が回路基板１３の基板面を横断する方向は、クリップ３と頭部４とを結ぶ方向と略直交する方向である。共通電極２７は、回路基板１３の基板面を横断する方向の複数位置で回路基板１３に固定されている。共通電極２７は、回路基板１３の基板面から直立している。スイッチ電極２３ｂ、２４ｂは、共通電極２７が基板面を横断する方向の外側から内側へ向かう方向のリズム設定スイッチ２３、３４のスイッチ操作により、共通電極２７の両端に対向する部分が基板面を横断する方向に移動して共通電極２７の両端に接触する。共通電極２７の両端に対応させて回路基板１３に基板面を横断する方向の凹所が形成されている。共通電極２７は、共通電極２７の両端を凹所に位置させている。共通電極２７は、回路基板１３上に液晶表示ユニット２５の基板面を横断する方向の側面に沿って配置されている。
【手続補正１１】
【補正対象書類名】明細書
【補正対象項目名】００２１
【補正方法】変更
【補正の内容】
【００２１】
回路基板１３は、胴部２に付設されてボタン電池１５から電力供給を受ける。ボタン電池１５は、一方の面にマイナス電極１５ａを有し、それ以外の面にプラス電極１５ｂを有する。回路基板１３の下面に電極端子３０、４０が固定されている。電極端子３０は、電池ホルダ１４に収容されたボタン電池１５の一方の面に配置されたマイナス電極に接触する。電極端子４０は、電池ホルダ１４に収容されたボタン電池１５の円周側面に配置されたプラス電極に接触する。図２に示すように、頭部４は、マイコン素子２６に電力を供給する電池としてのボタン電池１５を収容している。
【手続補正１２】
【補正対象書類名】特許請求の範囲
【補正対象項目名】全文
【補正方法】変更
【補正の内容】
【特許請求の範囲】
【請求項１】
耳の孔の入口に保持される頭部を有し、前記頭部と反対側にクリップが設けられ、前記クリップとの間に耳を挟み込むことにより耳面上に保持される筐体と、
前記筐体に収容された回路基板と、
前記回路基板に固定して前記回路基板の基板面を横断するように配置され、当該横断する方向の両端がスイッチの電極として機能する共通電極と、
前記回路基板に固定して前記両端の一方に対して接離可能に配置された第１のスイッチ電極と、
前記回路基板に固定して前記両端の他方に対して接離可能に配置された第２のスイッチ電極と、を備えることを特徴とする耳装着装置。
【請求項２】
前記横断する方向は、前記クリップと前記頭部とを結ぶ方向と略直交する方向であることを特徴とする請求項１に記載の耳装着装置。
【請求項３】
前記共通電極は、前記横断する方向の複数位置で前記回路基板に固定されていることを特徴とする請求項１又は２に記載の耳装着装置。
【請求項４】
前記共通電極は、前記回路基板の基板面から直立していることを特徴とする請求項１乃至３のいずれか１項に記載の耳装着装置。
【請求項５】
前記第１及び第２のスイッチ電極は、前記横断する方向の外側から内側へ向かうスイッチ操作により前記両端に対向する部分が前記横断する方向に移動して前記両端に接触することを特徴とする請求項１乃至４のいずれか１項に記載の耳装着装置。
【請求項６】
前記両端に対応させて前記回路基板に前記横断する方向の凹所が形成され、
前記共通電極は、前記共通電極の両端を前記凹所に位置させていることを特徴とする請求項５に記載の耳装着装置。
【請求項７】
前記回路基板は、毎分拍数を可変のリズム信号を発生するマイコン回路を有し、
前記頭部は、前記マイコン回路に電力を供給する電池を収容していることを特徴とする請求項１乃至６のいずれか１項に記載の耳装着装置。
【請求項８】
前記第１及び第２のスイッチ電極は、前記マイコン回路に対する毎分拍数の設定に用いられ、
前記回路基板は、前記マイコン回路に設定された毎分拍数の数値を表示可能な液晶表示ユニットを有し、
前記共通電極は、前記回路基板上に前記液晶表示ユニットの前記横断する方向の側面に沿って配置されていることを特徴とする請求項７に記載の耳装着装置。